(57)【要約】【課題】端子の他端に電線を圧着しながら、端子の他端側への被覆状態を離脱せずに維持することのできるコネクタのハウジングを提供すること。【解決手段】カバー部材は、開口部１０に対して一方から挿入される第１カバー部材９と、第１カバー部材９と略直交する方向から開口部１０に挿入される第２カバー部材１４と、を備え、第１カバー部材９と第２カバー部材１４とが互いに係合されるとともに、いずれか一方のカバー部材がハウジング本体５に係止されることで、開口部１０の上下端が被覆される。【選択図】図１０
2010244758.tif 000002
【特許請求の範囲】
【請求項１】
導体と電気的に接続される複数の端子と、前記導体と前記端子の一端が挿入される挿入部と前記端子の他端が配置される上下方向に向けて貫通する開口部とを備えるハウジング本体を有し、前記端子の他端は、前記開口部を介して電線と圧着接続された後にカバー部材によって被覆されるコネクタのハウジングであって、
前記カバー部材は、前記開口部に対して一方から挿入される第１カバー部材と、前記第１カバー部材と略直交する方向から前記開口部に挿入される第２カバー部材と、を備え、
前記第１カバー部材と前記第２カバー部材とが互いに係合されるとともに、いずれか一方の前記カバー部材が前記ハウジング本体に係止されることで、前記開口部の上下端が被覆されることを特徴とするコネクタのハウジング。
【請求項２】
前記第１カバー部材と前記第２カバー部材とは、互いに係合する噛合部を備えていることを特徴とする請求項１に記載のコネクタのハウジング。
【請求項３】
前記第１カバー部材と前記第２カバー部材との少なくとも一方の前記噛合部は、前記開口部を被覆する際に、隣り合う前記電線と圧着接続された前記端子の他端同士を隔離することを特徴とする請求項１または２に記載のコネクタのハウジング。
【請求項４】
前記第２カバー部材は、前記ハウジング本体と係止可能な係止部が設けられていることを特徴とする請求項１ないし３のいずれかに記載のコネクタのハウジング。
【請求項５】
前記係止部は、前記第２カバー部材の左右方向略中央に配置されていることを特徴とする請求項４に記載のコネクタのハウジング。
【請求項６】
前記第１カバー部材と前記第２カバー部材とは、凹凸嵌合によって係止されることを特徴とする請求項１ないし５のいずれかに記載のコネクタのハウジング。
【発明の詳細な説明】
【技術分野】
【０００１】
本発明は、導体と電気的に接続される複数の端子と、導体と端子の一端が挿入される挿入部と端子の他端が配置される上下方向に向けて貫通する開口部とを備えるハウジング本体を有し、端子の他端は、開口部を介して電線と圧着接続された後にカバー部材によって被覆されるコネクタのハウジングに関する。
【背景技術】
【０００２】
従来、コネクタのハウジングとしては、ハウジング本体とカバー（カバー部材）により構成されるコネクタハウジングと、フラットケーブル（電線）を圧着する圧着部（他端）と相手端子（導体）に係合して電気的接続を得る接続部（一端）とを備えた圧着端子（端子）と、を備え、圧着端子の接続部をハウジング本体の接続部収納部に収納し、フラットケーブルを圧着部で圧着した後にハウジング本体の上方からカバーの係合片をハウジング本体の係合部に係合させることにより圧着端子を覆っている。このようなコネクタのハウジングにおけるハウジング本体には、接続収納部に圧着端子の接続部が収納された際に圧着部の下方となる位置に上下方向に貫通する孔（開口部）が形成されており、圧着部にフラットケーブルの導体部を整合して配置した後、端子圧着装置のアンビルを孔の下方から挿入して圧着部を下方から支持させ、ハウジング本体の上方から端子圧着装置のクリンパを圧着部に向けて下降させることによって圧着部への圧着を行っているものがある（例えば、特許文献１参照）。
【先行技術文献】
【特許文献】
【０００３】
【特許文献１】特開平８−７９６８号公報（第４頁、第１図）
【発明の概要】
【発明が解決しようとする課題】
【０００４】
しかしながら、特許文献１にあっては、カバーは係合片をハウジング本体に係合させているだけなので、カバーはハウジング本体から容易に離脱してしまう虞があるとともに、圧着部（他端）がハウジング本体に形成された孔から外部に露出しているため、端子に埃等の異物が付着し易く、付着した異物がショート等の動作不良の原因となるという問題があった。
【０００５】
本発明は、このような問題点に着目してなされたもので、端子の他端に電線を圧着しながら、端子の他端側への被覆状態を離脱せずに維持することのできるコネクタのハウジングを提供することを目的とする。
【課題を解決するための手段】
【０００６】
前記課題を解決するために、本発明のコネクタのハウジングは、
導体と電気的に接続される複数の端子と、前記導体と前記端子の一端が挿入される挿入部と前記端子の他端が配置される上下方向に向けて貫通する開口部とを備えるハウジング本体を有し、前記端子の他端は、前記開口部を介して電線と圧着接続された後にカバー部材によって被覆されるコネクタのハウジングであって、
前記カバー部材は、前記開口部に対して一方から挿入される第１カバー部材と、前記第１カバー部材と略直交する方向から前記開口部に挿入される第２カバー部材と、を備え、
前記第１カバー部材と前記第２カバー部材とが互いに係合されるとともに、いずれか一方の前記カバー部材が前記ハウジング本体に係止されることで、前記開口部の上下端が被覆されることを特徴としている。
この特徴によれば、第１カバー部材と第２カバー部材とが直交して係合されることで、ハウジング本体に係止されていないカバー部材に開口部から離脱する方向に力が加わっても、ハウジング本体に係止されているカバー部材がハウジング本体に係止されていないカバー部材の離脱を阻止しながら開口部を被覆することができる。
【０００７】
本発明のコネクタのハウジングは、
前記第１カバー部材と前記第２カバー部材とは、互いに係合する噛合部を備えていることを特徴としている。
この特徴によれば、第１カバー部材と第２カバー部材を互いの噛合部を直交した方向から噛み合わせて開口部を被覆するので、第１カバー部材と第２カバー部材との開口部からの離脱を互いに阻止しながら開口部を被覆することができる。
【０００８】
本発明のコネクタのハウジングは、
前記第１カバー部材と前記第２カバー部材との少なくとも一方の前記噛合部は、前記開口部を被覆する際に、隣り合う前記電線と圧着接続された前記端子の他端同士を隔離することを特徴としている。
この特徴によれば、電線と圧着接続された前記端子の他端同士が接触してショートしてしまうことを防ぐことができる。
【０００９】
本発明のコネクタのハウジングは、
前記第２カバー部材は、前記ハウジング本体と係止可能な係止部が設けられていることを特徴としている。
この特徴によれば、第１カバー部材に係止される第２カバー部材がハウジング本体にも係止されるので、第２カバー部材による開口部の被覆状態をより強固にすることができる。
【００１０】
本発明のコネクタのハウジングは、
前記係止部は、前記第２カバー部材の左右方向略中央に配置されていることを特徴としている。
この特徴によれば、左右方向略中央に配置された係止部により、第２カバー部材の変形を防止し、第１カバー部材と第２カバー部材との噛合を保持することができる。
【００１１】
本発明のコネクタのハウジングは、
前記第１カバー部材と前記第２カバー部材とは、凹凸嵌合によって係止されることを特徴としている。
この特徴によれば、第２カバー部材の開口部への挿入に伴って、第１カバー部材が第２カバー部材に対して容易に嵌合停止させることができる。
【図面の簡単な説明】
【００１２】
【図１】実施例におけるハウジング及びウェハーの全体像を示す斜視図である。
【図２】ハウジング及びウェハーを示す縦断側面図である。
【図３】ハウジングを示す分解斜視図である。
【図４】（ａ）は、ウェハーを示す斜視図であり、（ｂ）は、ウェハーがハウジング本体の挿入部に挿入されている状態を示す縦断面図である。
【図５】（ａ）は、ハウジング本体を示す平面図であり、（ｂ）は、ハウジング本体を示す正面図であり、（ｃ）は、図５（ｂ）におけるハウジング本体のＡ−Ａ断面図である。
【図６】（ａ）は、第１カバー部材を示す平面図であり、（ｂ）は、第１カバー部材を示す正面図であり、（ｃ）は、第１カバー部材を示す側面図であり、（ｄ）は、図６（ｂ）における第１カバー部材のＢ−Ｂ断面図であり、（ｅ）は、図６（ｂ）における第１カバー部材のＣ−Ｃ断面図である。
【図７】（ａ）は、第２カバー部材を示す平面図であり、（ｂ）は、第２カバー部材を示す正面図であり、（ｃ）は、図７（ｂ）における第２カバー部材のＤ−Ｄ断面図であり、（ｄ）は、第２カバー部材のＥ−Ｅ断面図である。
【図８】（ａ）は、ハウジング本体における端子と電線の圧着接続を示す縦断面図であり、（ｂ）は、ハウジング本体における端子と電線が圧着された状態を示す縦断面図である。
【図９】ハウジング本体に第１カバー部材が取り付けられた状態を示す斜視図である。
【図１０】ハウジング本体に第２カバー部材が取り付けられる状態を示す平面図である。
【図１１】第１カバー部材の第２カバー部材に対する係止を示すハウジングの縦断側面図である。
【発明を実施するための形態】
【００１３】
本発明に係るコネクタのハウジングを実施するための形態を実施例に基づいて以下に説明する。
【実施例】
【００１４】
実施例に係るコネクタのハウジングにつき、図１から図１１を参照して説明する。図１の符号１は、本発明の適用されたハウジングである。このハウジング１は、図１及び図２に示すように、プリント基板上に設けられたウェハー３に接続されるようになっている。
【００１５】
このハウジング１には、図示しない電気素子等から延設された複数の電線４が左右方向に並設して接続されている。一方、ウェハー３には、プリント基板の表面に形成された図示しない回路パターンが接続されている。このため、ハウジング１とウェハー３とは、互いに接続されることで電気素子と回路パターンとを電気的に接続するようになっている。
【００１６】
具体的には、ハウジング１を構成するハウジング本体５には、ウェハー３を挿入可能な凹状の挿入部６が形成されている。この挿入部６内には、電線４に接続された、図５（ａ）に示した複数の端子７の一端が配置されている。また、図４（ａ）に示すように、ウェハー３には、左右方向に複数の本発明における導体としての基板接続端子８が並設されている。
【００１７】
これら基板接続端子８の一端は、図４（ｂ）に示すように、ウェハー３がハウジング本体５の挿入部６に挿入されることで、端子７の一端と電気的に接続されるようになっている。更に、基板接続端子８の他端は、図１及び図２に示すように、ウェハー３の背面側に延設されており、プリント基板上の回路パターンに接続されている。
【００１８】
図３に示すように、ハウジング１は、前述のハウジング本体５と、このハウジング本体５に下方から取り付けられる第１カバー部材９と、ハウジング本体５に第１カバー部材９と直交する方向である正面側から取り付けられる第２カバー部材１４と、から主に構成されている。これらのうちハウジング本体５は、図５（ａ）及び図５（ｂ）に示すように、略方形状に形成されている。
【００１９】
また、ハウジング本体５の正面側には、ハウジング本体５の上下方向に向けて貫通する本発明における開口部としての貫通孔１０が形成されている。この貫通孔１０は、ハウジング本体５の左右方向に長く形成されている。更に、ハウジング本体５には、貫通孔１０とハウジング本体５の正面側の外部空間とを連通させるための、上方に向けて開口する正面視上向きコ字状の連通溝１１が形成されている。
【００２０】
そして、連通溝１１の左右端下部には、連通溝１１と同じく貫通孔１０とハウジング本体５の正面側の外部空間とを連通させる切欠溝１２がハウジング本体５の左右外方に向けて凹設されている。このため、ハウジング本体５は、正面視略上向きＣ字状に形成されている。
【００２１】
尚、貫通孔１０の左右方向の中央には、貫通孔１０を左右に二分割するブリッジ１３が設けられている。このブリッジ１３には、上部に第２カバー部材１４を係止するためのロック部１５が立設されている。このロック部１５には、図２に示すように、前部が正面側から背面側に向けて上方に傾斜をなすテーパー面１５ａに形成されており、後部は、ブリッジ１３の上面に連なる段部１５ｂが形成されている。
【００２２】
図５（ａ）及び図５（ｂ）に示すように、ハウジング本体５の貫通孔１０の後方には、ハウジング本体５の左右方向に向かって複数の隔離片１６が並設されている。これら隔離片１６の上端部は、上面の左右幅寸法が下部の左右幅寸法よりも長寸である正面視台形状に形成されている。
【００２３】
また、隔離片１６の後方には、ウェハー３を挿入可能な前述した挿入部６が形成されている。そして、各隔離片１６間には端子７が複数設けられており、これら端子７の一端が挿入部６内に配置されるとともに、他端が貫通孔１０内に配置されるようになっている。
【００２４】
尚、図５（ｃ）に示すように、貫通孔１０の左右内側面の前後端部には、それぞれ前後方向を向いて対向する一対の係止突部１７が形成されている。これら係止突部１７間の前後幅寸法は貫通孔１０の他の部分の前後幅寸法よりも僅かに短寸となっている。また、これら係止突部１７の下部は、下方から上方に向かって貫通孔１０の前後方向中央に向けて傾斜をなすテーパー面１７ａに形成されており、上端部は係止突部１７の上面と貫通孔１０の内側前後面によって段部１７ｂに形成されている。
【００２５】
次に、ハウジング本体５に下方から取り付けられる第１カバー部材９について説明する。この第１カバー部材９は、図６（ａ）〜図６（ｃ）に示すように、平面視略角形状に形成された板体１８を有している。この板体１８の左右端部からは、ガイド片１９が上方に向かって延設されている。これらガイド片１９の前後幅寸法は、ハウジング本体５の貫通孔１０の前後幅寸法と略同形に形成されており、貫通孔１０内に挿入可能となっている。
【００２６】
また、ガイド片１９の外側端面における前部及び後部には、貫通孔１０内に形成された係止突部１７と補形をなす被係止溝２０が形成されている。この被係止溝２０の上方には、ガイド片１９の上端部に向けてガイド片１９の前後方向中央に向けて傾斜するテーパー面１９ａが形成されている。そして、図６（ｂ）に示すように、ガイド片１９の上端部からは、第１カバー部材９の左右内側方に向けて規制片２１が延設されている。
【００２７】
更に、図６（ｅ）に示すように、これら規制片２１の下方であるガイド片１９の左右内側面の前部には、ガイド片１９の前面から左右内側面にかけて傾斜をなすテーパー面１９ｂが形成されており、これらテーパー面１９ｂの後方には、ガイド片１９の後部が切り欠かれた被係止段部２２が形成されている。
【００２８】
ガイド片１９間には、左右方向に向かって櫛歯状の本発明における噛合部としての垂直片２３が板体１８の上面から複数立設されている。これら垂直片２３間の左右幅は、第２カバー部材１４の水平片２７間の左右幅と略同一に形成されている。また、これら垂直片２３の前端部は、図６（ｄ）に示すように、上下方向に亘って切り欠かれた切欠部２３ａに形成されている。
【００２９】
また、板体１８の左右方向中央には、図６（ａ）及び図６（ｂ）に示すように、前後方向を向く嵌合溝２４が形成されている。この嵌合溝２４の左右幅は、ブリッジ１３の左右幅方向と略同一に形成されている。
【００３０】
次に、ハウジング本体５に正面側から取り付けられる第２カバー部材１４について説明する。この第２カバー部材１４は、図７（ａ）〜図７（ｄ）に示すように、平面視略角形状に形成された板体２５を有している。この板体２５の左右端下部からは、第２カバー部材１４の左右外側方に向けて側片２６が延設されている。これら側片２６の前端部には、側片２６前面から左右外側面にかけて傾斜をなすテーパー面２６ａが形成されており、テーパー面２６ａの後方には側片２６が切り欠かれた係止段部２６ｂが形成されている。
【００３１】
更に、板体２５の前部には、左右方向に亘って櫛歯状の本発明における噛合部としての水平片２７が第２カバー部材１４の正面側に向かって複数並設されている。これら水平片２７間の左右幅は、第１カバー部材９の垂直片２３の左右幅と略同一に形成されている。これら水平片２７の前端部は、図７（ｂ）に示すように、上辺が下辺よりも短い略台形状に形成されている。尚、各水平片２７間には、図７（ｄ）に示すように、板体２５の前端下部から正面側に向けて係止片２８が突設されている。
【００３２】
板体２５の左右方向中央から延設されている水平片２７は、他の水平片２７よりも短く形成されている。この中央の水平片２７の下部には、本発明における係止部としてのロック部２９が突設されている。このロック部２９は、前部が正面側から背面側に向けて上方に傾斜をなすテーパー面２９ａに形成されており、後部は、水平片２７の下面に連なる段部２９ｂが形成されている。
【００３３】
また、板体２５の後端部には、下方に向かって電線固定片３０が突設されている。この電線固定片３０には、下方に向かって開口する円弧状の固定溝３０ａが左右方向に亘って複数形成されており、端子７に接続された電線の上部が収納配置されるようになっている。
【００３４】
尚、本実施例における端子７は、一端に電線４の先端部が配置された後に圧着されることで接続がなされる。具体的には、図８（ａ）に示すように、端子７の一端に電線４の先端部を配置した後、ハウジング本体５を図示しない圧着機上に固定する。
【００３５】
そして、圧着機のアンビル３１を貫通孔１０に下方から挿通させ、このアンビル３１によって端子７の一端を下方から支持する。この状態で圧着機のクリンパ３２を貫通孔１０に上方から挿通させることで、図８（ｂ）に示すように、端子７の一端をアンビル３１とクリンパ３２によって圧着し、電線４と端子７の圧着接続が完了する。このとき、端子７の一端は電線４の先端部を離脱不能に保持する接続部３３に形成される。
【００３６】
次に、ハウジング本体５への第１カバー部材９と第２カバー部材１４との取り付けを説明する。先ず、図３に示すように、第１カバー部材９をハウジング本体５の下方から貫通孔１０に挿入させる。第１カバー部材９は、ガイド片１９のテーパー面１９ａを係止突部１７のテーパー面１７ａと摺接させながら貫通孔１０内を上方に向けて移動する。そして、第１カバー部材９は、嵌合溝２４をハウジング本体５のブリッジ１３に嵌合させることで上方に向けての移動を終了する。このとき、被係止溝２０内に係止突部１７が配置される。そして、被係止溝２０に段部１７ｂが当接することによって第１カバー部材９がハウジング本体５に対して係止され、ハウジング本体５は貫通孔１０を第１カバー部材９によって被覆される。
【００３７】
尚、図９に示すように、貫通孔１０に第１カバー部材９が挿入されることによって、隣り合う端子７の接続部３３間には、第１カバー部材９の垂直片２３が配置されるようになっており、接続部３３同士が接触しないようになっている。
【００３８】
ハウジング本体５への第１カバー部材９の取り付けが完了すると、図１０に示すように、ハウジング本体５に対して第２カバー部材１４が取り付けられる。具体的には、第２カバー部材１４は、正面側をハウジング本体５の正面側と対向させた後、連通溝１１を介して貫通孔１０に向けて挿入される。
【００３９】
尚、端子７に接続されている各電線４の上部を固定溝３０ａ内に配置した状態で第２カバー部材１４を貫通孔１０向けて挿入することで、電線４を第２カバー部材１４を貫通孔１０に向けて案内するガイドとして使用することができる。このとき、側片２６は切欠溝１２内を通過するようになっており、テーパー面２６ａをテーパー面１９ｂに摺接させる。
【００４０】
同時に、第２カバー部材１４は、ロック部２９のテーパー面２９ａをハウジング本体５のロック部１５のテーパー面１５ａと摺接させながら貫通孔１０に向けて移動する。そして、第２カバー部材１４の貫通孔１０に向けての移動を進めること、側片２６の係止段部２６ｂと第１カバー部材９の被係止段部２２とが凹凸嵌合によって係止されるとともに、第２カバー部材１４のロック部２９とハウジング本体５のロック部１５とが互いの段部２９ｂ，１５ｂによって係止される。つまり、第２カバー部材１４はハウジング本体５と第１カバー部材９の両方に係止され、ハウジング本体５から離脱する方向への移動が規制される。
【００４１】
一方、隣り合う各水平片２７間には、第２カバー部材１４の貫通孔１０に向けての移動によって、第１カバー部材９の垂直片２３が挿通される。同時に、隣り合う垂直片２３間にも水平片２７が挿通され、水平片２７と垂直片２３との係合がなされる。このとき、図１１に示すように、第２カバー部材１４の係止片２８が垂直片２３の切欠部２３ａに配置されるようになっており、係止片２８の上面と切欠部２３ａの上面とが当接する。このため、第２カバー部材１４の上方への離脱が規制される。
【００４２】
更に、各水平片２７の先端は、図５（ｂ）に示す、隣り合う隔離片１６の上端部間に挿通される。このように水平片２７を隔離片１６の上端部間に挿通することによって、水平片２７の左右側面と隔離片１６の左右側面が当接することで、水平片２７の上方への離脱が規制される。
【００４３】
前述のように第２カバー部材１４をハウジング本体５に取り付けて、水平片２７と垂直片２３とが互い違いに係合させることで、貫通孔１０の上部の被覆が完了し、接続部３３は貫通孔１０の上端と下端から隠蔽される。
【００４４】
以上、本実施例におけるハウジング１にあっては、基板接続端子８と電気的に接続される複数の端子７と、基板接続端子８と端子７の一端が挿入される挿入部６と端子７の他端が配置される上下方向に向けて貫通する貫通孔１０とを備えるハウジング本体５を有し、端子７の他端は、貫通孔１０を介して電線４と圧着接続された後にカバー部材によって被覆されるハウジング１であって、カバー部材は、貫通孔１０に対して一方から挿入される第１カバー部材９と、第１カバー部材９と略直交する方向から貫通孔１０に挿入される第２カバー部材１４と、を備え、第１カバー部材９と第２カバー部材１４とが互いに係合されるとともに、いずれか一方のカバー部材がハウジング本体５に係止されることで、貫通孔１０の上下端が被覆され、第１カバー部材９と第２カバー部材１４とが互いに離脱を阻止する構造とすることができる。
【００４５】
また、第１カバー部材９と第２カバー部材１４とは、互いに係合する垂直片２３と水平片２７とを備えているので、第１カバー部材９と第２カバー部材１４を互いの垂直片２３と水平片２７とを直交した方向から噛み合わせて貫通孔１０を被覆するので、第１カバー部材９と第２カバー部材１４との貫通孔１０からの離脱を互いに阻止しながら貫通孔１０を被覆することができる。
【００４６】
また、垂直片２３は、貫通孔１０を被覆する際に、隣り合う接続部３３の他端同士を隔離することによって、接続部３３の他端同士が接触してショートしてしまうことを防ぐことができる。
【００４７】
また、第２カバー部材１４は、ハウジング本体５と係止可能なロック部２９及び水平片２７が設けられており、更に係止片２８により第１カバー部材９に係止されるため接続部３３に対する被覆状態をより強固にすることができる。
【００４８】
また、ロック部２９は、第２カバー部材１４の左右方向略中央に配置されているので、第２カバー部材１４の挿入方向の変形を効果的に抑制することができる。
【００４９】
また、第１カバー部材９と第２カバー部材１４とは、凹凸嵌合によって係止されるので、第２カバー部材１４の貫通孔１０への挿入に伴って、第１カバー部材９が第２カバー部材１４に対して容易に嵌合停止させることができる。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
例えば、前記実施例では、ハウジング本体５に上下方向を向く貫通孔１０内に端子７と電線４との接続部３３を配置し、ハウジング本体５の正面側から貫通孔１０にかけて上方に開口する連通溝１１を形成して、貫通孔１０の下方から第１カバー部材９を挿入し、連通溝１１から貫通孔１０に第２カバー部材１４を挿入することで接続部３３の被覆を行ったが、連通溝１１をハウジング本体５の下方に向けて開口させ、第１カバー部材９を貫通孔１０の上方から挿入して接続部３３の上方を被覆し、第２カバー部材１４を連通溝１１から貫通孔１０に挿入して接続部３３の下方を被覆するようにしてもよい。
【００５２】
また、前記実施例では、第１カバー部材９を貫通孔１０に下方から挿入することで、隣り合う接続部３３間を垂直片２３によって隔離したが、垂直片２３と第２カバー部材１４の水平片２７の左右幅寸法を薄く形成するとともに、水平片２７の上下幅寸法を下方に向けて長く形成し、第２カバー部材１４を連通溝１１から貫通孔１０に挿入する際に、隣り合う接続部３３間で水平片２７と垂直片２３とが互いの間隙間に挿入されて係合されるようにして、隣り合う接続部３３間を隔離するようにしてもよい。
【００５３】
また、前記実施例では、第１カバー部材９と第２カバー部材１４とを直交する方向から貫通孔１０に挿入し、互いの垂直片２３と水平片２７とを係合させることで、接続部３３は貫通孔１０の上端と下端からこれら第１カバー部材９と第２カバー部材１４とで被覆されたが、第１カバー部材９と第２カバー部材１４とは貫通孔１０の上端及び下端から接続部３３を被覆可能であれば垂直片２３及び水平片２７を有していなくともよい。
【符号の説明】
【００５４】
１                ハウジング
３                ウェハー
４                電線
５                ハウジング本体
６                挿入部
７                端子
８                基板接続端子（導体）
９                第１カバー部材
１０              貫通孔（開口部）
１３              ブリッジ
１４              第２カバー部材
１５              ロック部
１６              隔離片
１７              係止突部
１７ａ            テーパー面
１７ｂ            段部
１９ａ，１９ｂ    テーパー面
２２              被係止段部
２３              垂直片（噛合部）
２３ａ            切欠部
２４              嵌合溝
２６              側片
２６ａ            テーパー面
２６ｂ            係止段部
２７              水平片（噛合部）
２８              係止片
２９              ロック部（係止部）
２９ａ            テーパー面
２９ｂ            段部
３３              接続部
【図１】
2010244758.tif 000003
【図２】
2010244758.tif 000004
【図３】
2010244758.tif 000005
【図４】
2010244758.tif 000006
【図５】
2010244758.tif 000007
【図６】
2010244758.tif 000008
【図７】
2010244758.tif 000009
【図８】
2010244758.tif 000010
【図９】
2010244758.tif 000011
【図１０】
2010244758.tif 000012
【図１１】
2010244758.tif 000013